(57)【要約】本発明は、ディスクドライブ（１００）において使用されるサスペンションのフレキシブル回路の後端部あるいはトレースサスペンションアセンブリの後端部（２０８）といったような薄いパーツ（２０８）を折り曲げる方法および装置に関する。本方法は薄いパーツ（２０８）の部分を固定し、次に流体を薄いパーツ（２０８）に導き、薄いパーツ（２０８）の固定されている部分（２０９）に対して薄いパーツ（２０８）の固定されていない部分（２１０）を曲げることから成る。本装置は薄いパーツ（２０８）を固定する固定具と、固定具に対して流体が薄いパーツを曲げるよう流体を薄いパーツに導くための、固定具の近くに配置された流体エミッタ（２４８）とから成る。本発明の方法および装置は、薄いパーツを手作業で折り曲げるよりもかなり効率的であり、折り曲げ工程中における薄いパーツとあらゆる移動ツール間の有害な接触をなくす。
2004516605.tif 000002
【特許請求の範囲】
【請求項１】
（ａ）薄いパーツの部分を固定するステップと、
（ｂ）薄いパーツの固定されている部分に対して薄いパーツの固定されていない部分を曲げるため、流体を薄いパーツに導くステップ
とから成ることを特徴とするディスクドライブの薄いパーツを折り曲げる方法。
【請求項２】
固定するステップ（ａ）は、サスペンションのフレキシブル回路の後端部を固定することから成ることを特徴とする請求項１に記載の方法。
【請求項３】
固定するステップ（ａ）は、トレースサスペンションアセンブリの後端部を固定することから成ることを特徴とする請求項１に記載の方法。
【請求項４】
固定するステップ（ａ）は、薄いパーツの部分を固定具内に固定することから成ることを特徴とする請求項１に記載の方法。
【請求項５】
導くステップ（ｂ）は、流体が薄いパーツを曲げるよう第一ノズルを通して薄いパーツに向かって流体を排出することから成ることを特徴とする請求項１に記載の方法。
【請求項６】
導くステップ（ｂ）は、流体が薄いパーツを曲げるよう第二ノズルを通して薄いパーツに向かって流体を排出することから成ることを特徴とする請求項５に記載の方法。
【請求項７】
導くステップ（ｂ）は、流体を第二ノズルを通して初めに導く前の一定時間、流体を第一ノズルを通して初めに導くことから成ることを特徴とする請求項６に記載の方法。
【請求項８】
流体が初めに第二ノズルを通して導かれた後も流体は第一ノズルを通して導かれ続けることを特徴とする請求項７に記載の方法。
【請求項９】
導くステップ（ｂ）は、流体が薄いパーツを曲げるよう第三ノズルを通して薄いパーツに向かって流体を排出することから成ることを特徴とする請求項７に記載の方法。
【請求項１０】
導くステップ（ｂ）は、流体を初めに第二ノズルを通して導いた後の一定時間、流体を第三ノズルを通して初めに導くことから成ることを特徴とする請求項９に記載の方法。
【請求項１１】
導くステップ（ｂ）は、流体を第二ノズルおよび第三ノズルのうちの１つのノズルを通して最初に導く前に、第一ノズル、第二ノズル、および第三ノズルのうちの１つ以上のノズルを薄いパーツに対して移動させることから成ることを特徴とする請求項１０に記載の方法。
【請求項１２】
薄いパーツの部分を固定する固定具と、
固定具に対して流体が薄いパーツを曲げるよう流体を薄いパーツに導くための、固定具の近くに配置された流体エミッタ
とから成ることを特徴とするディスクドライブの薄いパーツを折り曲げる装置。
【請求項１３】
流体エミッタは固定具と一体化されていることを特徴とする請求項１２に記載の装置。
【請求項１４】
流体エミッタは、固定具内に固定された薄いパーツに流体を導くためのノズルを備えていることを特徴とする請求項１２に記載の装置。
【請求項１５】
流体エミッタは、固定具内に固定された薄いパーツに流体を導くための複数のノズルを備えていることを特徴とする請求項１２に記載の装置。
【請求項１６】
ノズルの各々は薄いパーツに対して異なる角度から流体を薄いパーツに導くことを特徴とする請求項１５に記載の装置。
【請求項１７】
固定具は薄いパーツの近くに配置されたマンドレルを備えており、それにより、流体エミッタにより排出される流体がマンドレルに対して薄いパーツを曲げることを特徴とする請求項１２に記載の装置。
【請求項１８】
薄いパーツを固定する固定具と、
固定具に対して流体が薄いパーツを曲げるよう流体を薄いパーツに導く手段
とを備えていることを特徴とする、ディスクドライブにおいて使用される薄いパーツを折り曲げる装置。
【請求項１９】
流体を薄いパーツに導く手段は、固定具内に固定された薄いパーツに流体を導くための複数のノズルから成ることを特徴とする請求項１８に記載の装置。
【請求項２０】
ノズルの各々は薄いパーツに対して異なる角度から流体を薄いパーツに導くことを特徴とする請求項１９に記載の装置。
【発明の詳細な説明】
【０００１】
（関連出願）
本出願は、２０００年１２月２０日に出願された３５  Ｕ．Ｓ．Ｃ．１１９（ｅ）における米国特許仮出願シリアル番号６０／２５７，１２６の利益の請求を行っている。
【０００２】
（技術分野）
本発明はディスクドライブの分野に関するものである。さらに詳しくは、本発明は、ディスクドライブにおいて使用されるサスペンションのフレキシブル回路、あるいはトレースサスペンションアセンブリの後端部を折り曲げる方法および装置に関する。
【０００３】
（背景技術）
あらゆるコンピュータシステムにおける１つの主要な構成要素はデータを記憶する装置である。コンピュータシステムにはデータを記憶させるための部分が多くの異なる場所にある。コンピュータシステムにおいて膨大な量のデータを記憶させる１つの一般的な場所はディスクドライブである。ディスクドライブにおける最も基本的な部分は、回転を行うディスク、ディスク上のさまざまな箇所にトランスジューサを移動させるアクチュエータ、そして、ディスクへのデータの書き込み、およびディスクからのデータの読み取りを行うために使用される電気回路である。ディスクドライブはまたデータを符号化する回路も含み、それによりデータ検索やデータのディスクへの書き込みが正確になされる。データ検索やディスクへのデータ保存を含めたディスクドライブ動作のほとんどはマイクロプロセッサにより制御される。
【０００４】
トランスジューサは一般的にスライダーと呼ばれる小さなセラミックブロック上に置かれる。スライダーは、ディスクとの変換関係でディスク上を通過するよう空気力学的に設計されている。ディスクが回転すると、スライダーにさまざまな力が作用し、それによりスライダーは所望する特定の浮上高でディスク表面上を浮上する。浮上高はディスク表面とトランスジューサ間の距離である。浮上高があることで、ディスク回転中にトランスジューサとディスクの機械的接触が起きた場合に生じる摩擦や、その結果としての損耗が避けられる。
【０００５】
データ形式の情報がディスク表面に記憶される。そのデータはディスク上のある特定の場所、すなわち「トラック」に分けられるか、グループにまとめられる。あるディスクにおいてトラックは複数の同心円状のトラックであり、また他のディスクにおいてはディスク片面の１つの連続した螺旋状のトラックである。ディスクドライブシステムは、ディスク上の１つ以上のトラックに記憶された情報を読み出したり、書き込んだりするように構成されている。
【０００６】
一般的に１つのトランスジューサがストレージディスクの各面に配置される。トランスジューサがストレージディスク表面上の指示されたトラックのうちの１つに正確に配置されると、トランスジューサはストレージディスクから情報を読み出し、およびストレージディスクへの書き込みを行う。ストレージディスクが回転すると、データで表される情報をストレージディスク上に書き込むことによってトランスジューサがトラックにデータを記憶させることが可能な目標トラック上にトランスジューサが正確に配置される。同様に、ストレージディスク上のデータ読み出しは、トランスジューサを適切なトラック上に配置し、ストレージディスクから記憶された内容を読み取ることにより達成される。
【０００７】
ディスクドライブの作動中、スライダーはアクチュエータアセンブリによりトラックを横断して放射状に移動する。ディスクドライブ制御システムはサーボ情報を用いてアクチュエータアセンブリを適切な位置に移動させる。サーボ情報は、読み取りあるいは書き込み動作中にトランスジューサを定位置に支持するためにも用いられる。
【０００８】
本来、アクチュエータアセンブリは一般に直線形または回転式のいずれかである。ロータリー・アクチュエータは、読み取りあるいは書き込み動作中にトランスジューサを正しい位置に正確に保持することに貢献する多くの部分によって構成されている。ロータリー・アクチュエータは一般に、ピボットアセンブリ、ボイスコイルヨークアセンブリ、そして１つ以上のアームを備え、そのアームの各々はたいていの場合、連動するヘッドジンバルアセンブリを含んでいる。
【０００９】
ボイスコイルヨークアセンブリは、トランスジューサをディスクの特定のトラック上に配置させるためにシャフトまわりにピボットアセンブリを回転させるボイスコイルモータを含んでいる。各アームの一方の端部はピボットアセンブリに連結されており、各アームのもう一方の端部は通常ヘッドジンバルアセンブリに取り付けられている。ヘッドジンバルアセンブリは、トランスジューサを支持し、かつディスクの放射方向と円周方向に対して動作を制限する役割を果たすサスペンションあるいはロードビームを含んでいる。一般的なヘッドジンバルアセンブリは、トランスジューサを前後左右に揺らし、不完全なディスク表面のトポグラフィに従わせるジンバルを含んでいる。
【００１０】
ヘッドジンバルアセンブリのスライダー上のトランスジューサには剛いリードが取り付けられている。剛いリードは、トランスジューサへ信号を搬送するためや、信号をトランスジューサからコンピュータに搬送するために使用されるデバイスである。一般的に、剛いリードは通例サスペンション配置のフレキシブル回路（「ＦＯＳ」）であるポリアミドフレキシブルケーブルか、もしくはトレースサスペンションアセンブリ（「ＴＳＡ」）の一部であるサスペンションのいずれかから突き出した銅線である。
【００１１】
ＦＯＳデバイスおよびＴＳＡデバイスの両方は一般に折り曲げられた後端部を有し、この後端部は、プリント回路基板もしくは連結用の剛いリードのようなディスクドライブのある他の部分にこれらデバイスを構造的かつ電気的に連結するのに有益である。ＦＯＳデバイスおよびＴＳＡデバイスの後端部は通常ピンセットを用いて手作業で折り曲げられて作り出されている。後端部のサイズが小さいことから、この方法で後端部を折り曲げるのはかなりの時間消費となり、手間のかかるものとなっている。また、手作業で後端部を折り曲げると、曲げが一貫せず、折り位置が正確ではなく、かつ、過度の扱いにより後端部の導電部に損傷を与える結果となる。
【００１２】
また、ローラーを使用し、金敷きの上で後端部を巻いて自動的にＦＯＳデバイスおよびＴＳＡデバイスを折り曲げることも可能である。ローリング工程中、曲げ角度を作るためにローラーが後端部を塑性変形させるとき、ローラーは後端部をこする。後端部上でローラーを強い力で扱うと、ローラーはしばしば後端部のカバーコートおよび、または、後端部の一部分である導電銅トレースを損傷させる。
【００１３】
よって、ディスクドライブのＦＯＳデバイスあるいはＴＳＡデバイスの後端部のような薄いパーツを折り曲げるための方法および装置が求められる。さらに詳しく言うと、ディスクドライブにおいて使用されるＦＯＳデバイスおよびＴＳＡデバイスの後端部を確実に一貫して曲げる方法および装置が求められる。これらの薄いパーツはディスクドライブの寿命にわたり、丈夫で、かつ安定を保つように折り曲げられなくてはならない。
（発明の開示）
【００１４】
本発明は、ディスクドライブにおいて使用されるサスペンションのフレキシブル回路の後端部、あるいはトレースサスペンションアセンブリの後端部といったような薄いパーツを折り曲げる方法に関する。該方法は薄いパーツの部分を固定し、次に流体を薄いパーツに導いて、薄いパーツの固定された部分に対して薄いパーツの固定されていない部分を曲げるステップを含む。
【００１５】
本発明はまた、ディスクドライブの薄いパーツを折り曲げる装置に関しても導かれる。該装置は薄いパーツを固定するための固定具と、流体が固定具に対して薄いパーツを曲げるよう流体を薄いパーツに導くための、固定具の近くに配置された流体エミッタとを備えている。ある一実施形態において、流体エミッタは固定具と一体化されており、薄いパーツに対して異なる角度から流体を薄いパーツへと導く複数のノズルを備えている。また他の実施形態において、固定具は薄いパーツの近くに配置されたマンドレルを備えており、それにより、流体エミッタによって排出される流体がマンドレルに対して薄いパーツを曲げる。
【００１６】
ディスクドライブの薄いパーツを折り曲げるための本記載の方法および装置は、薄いパーツを手作業で折り曲げるよりもかなり効率的である。加えて、該方法および装置は、折り曲げ工程中における、薄いパーツとあらゆる移動ツール間の接触をなくす。薄いパーツと移動ツール間の接触がないことにより、本方法および装置は、一貫して、損傷なく薄いパーツを折り曲げることが可能であり、結果、その寿命にわたり信頼性の高い、頑強なディスクドライブ作り上げる。
【００１７】
（好ましい実施形態の説明）
以下に記載を行う好ましい実施形態の詳細説明において、この部分を構成し、かつ、本発明が実行される特定の実施形態を説明する方法にて示された添付の図面を参照する。本発明の範囲を逸脱することなく、他の実施形態も使用されることが可能であり、かつ構造的な変更も可能であることは理解されるべきである。
【００１８】
本出願において記載のなされる本発明は、回転作動もしくは線形作動を行うディスクドライブのあらゆる機械的構成に有用である。加えて、本発明は、ハードディスクドライブ、ｚｉｐドライブ、フロッピー（登録商標）ディスクドライブ、および他のタイプのドライブを含めたどのようなタイプのディスクドライブにも有用である。
【００１９】
図１は、ロータリー・アクチュエータを備えた、ある一タイプのディスクドライブ１００の分解図である。ディスクドライブ１００は、基部１１２、およびディスクエンクロージャを形成するカバー１１４を備える。基部１１２にアクチュエータシャフト１１８上で回転可能に取り付けされているのはアクチュエータアセンブリ１２０である。アクチュエータアセンブリ１２０は、複数のアーム１２３を備えた櫛型の構造１２２を有している。櫛状部１２２の別々のアーム１２３各々はロードビームあるいはロードスプリング１２４を含む。各ロードスプリング１２４の端部には磁気トランスジューサ１５０を運ぶスライダー１２６が取り付けられている。トランスジューサ１５０を配備するスライダー１２６は一般にヘッドと称されるものを構成する。多数のスライダーが１つのトランスジューサ１５０を配備しており、それを図面にて示していることを注記する。また、本発明は、１つのトランスジューサ１５０が概して読み取りに使用され、他のトランスジューサが概して書き込みに使用されるＭＲヘッド、すなわち磁気抵抗ヘッドに相当するような１つ以上のトランスジューサを備えたスライダーにも同様に適用可能であることも注記する。ロードスプリング１２４およびスライダー１２６の反対側にあるアクチュエータアームアセンブリ１２０の端部にはボイスコイル１２８が配置されている。
【００２０】
エンクロージャ内に取り付けされているのは第一磁石１３０および第二磁石１３１である。図１に示すように、第二磁石１３１は基部１１２と結合している。第一磁石１３０、第二磁石１３１、およびボイスコイル１２８は、アクチュエータアセンブリ１２０に力を加え、アクチュエータシャフトまわりにこれを回転させるボイスコイルモータの主要な構成要素である。スピンドルモータもまた基部１１２に取り付けされている。スピンドルモータはスピンドルハブ１３３と称される回転部分を含んでいる。この特定のディスクドライブにおいては、スピンドルモータはハブ１３３内に配置されている。
【００２１】
図１において、多数のディスク１３４がスピンドルハブ１３３に取り付けされている。また別のディスクドライブではシングルディスクもしくは異なる数のディスクがハブに取り付けされている場合もある。ここに記載を行う本発明は、シングルディスクを備えるディスクドライブ同様、複数のディスクを備えるディスクドライブにも同様に適用可能である。ここに記載を行う本発明はまた、スピンドルモータがハブ１３３内に配置されたディスクドライブ同様、スピンドルモータがハブの下に配置されたディスクドライブにも等しく適用可能である。
【００２２】
図２は、本発明のディスクドライブ１００において使用される薄いパーツを折り曲げる装置２００の斜視図である。装置２００はディスクドライブにおいて使用されるロードビーム１２４を保持する。ＦＯＳデバイス２０４はロードビーム１２４の面に沿って固定されている。ＦＯＳデバイス２０４は、後端部２０８（図２においては見られない）の部分を曲げるために、ＦＯＳデバイス２０４の後端部２０８が装置２００内に配置されるように合わせられている。
【００２３】
また、図３を参照して説明すると、装置２００は基部２１２と、基部２１２上に配置されたマンドレル２１６を有する。マンドレル２１６と基部２１２は、基部２１２の最上部にある開口部と、マンドレル２１６の底部にあるその対応する開口部（いずれの図面でも見られない）内へピン２２０が挿入され、互いに整列されている。または、留め具（図示せず）を用いるか、あるいは溶着や接着剤を含めた（しかしこれに限定されるわけではない）他の周知の方法によりマンドレル２１６と基部２１２とを互いに固定することも可能である。
【００２４】
装置２００はさらに、マンドレル２１６の上方向に伸長した側壁２２８Ａ、２２８Ｂに回転可能に取り付けされたクランプ２２６を備えている。側壁２２８Ａ、２２８Ｂのそれぞれは、クランプの開口部２２７と、互いに同軸上に整列した開口部２３２Ａ、２３２Ｂを有している。ピン２３６がクランプ２２６とマンドレル２１６の整列した開口部を貫通しており、それによりクランプ２２６がマンドレル２１６に回転可能に取り付けられている。
【００２５】
装置２００はまた、基部２１２に対して配置された流体エミッタ２４８を配備している。流体エミッタ２４８は、流体エミッタ２４８にある開口部２５６Ａ、２５６Ｂ、２５６Ｃに挿入されるノズル２５２Ａ、２５２Ｂ、２５２Ｃを装備している。ノズル２５２Ａ、２５２Ｂ、２５２Ｃは開いており、ノズル２５２Ａ、２５２Ｂ、２５２Ｃの排出口と流体が連通するホール２６０Ａ、２６０Ｂ、２６０Ｃ（図５−図９）を通して流体エミッタ２４８より空気を排出する。流体エミッタ２４８は基部２１２に対して配置され、かつ、基部２１２に対して整列されているが、流体エミッタ２４８は、図示していない部分も含めた、装置２００の他のどの部分に対しても整列可能であることを注記する。
【００２６】
図４および図５を参照して説明すると、ＦＯＳデバイス２０４の後端部２０８の部分２０９は、流体エミッタ２４８のホール２６０Ａ、２６０Ｂ、２６０Ｃに近接して配置された後端部２０８に露出部分２１０ができるように、クランプ２２６とマンドレル２１６間に固定されている。図６に示すように、折り曲げ工程は、望ましくは空気である流体を第一ノズル２５２Ａを通してホール２６０Ａに送り込むことにより開始する。ホール２６０Ａは後端部２０８の露出部分２１０に流体を導く。流体は十分な速度で移動し、固定部分２０９に対して後端部２０８の露出部分を曲げる。流体が一旦後端部２０８の露出部分２１０を曲げると、追加の流体が第二ノズル２５２Ｂを通って他のホール２６０Ｂに送り込まれる。ホール２６０Ｂは後端部２０８の露出部分に追加の流体を導き（図７参照）、後端部２０８の露出部分２１０をさらに曲げる。図８に示すように、一旦第二ノズル２５２Ｂからの流体が後端部２０８の露出部分２１０をさらに曲げると、さらなる流体が第三ノズル２５２Ｃを通って他のホール２６０Ｃに送られる。ホール２６０Ｃは第三ノズル２５２Ｃからの流体を後端部２０８の露出部分２１０に導き、後端部２０８の露出部分２１０をさらに曲げる。流体が第三ノズル２５２Ｃを通って最初に導かれる前には、流体は第一ノズル２５２Ａを通ってもはや送られないことが望ましい。
【００２７】
図９は、本方法のまた別の実施形態において、ＦＯＳデバイス２０４の後端部２０８を容易に曲げられるように流体エミッタ２４８の位置が一回以上調整されていることを示している。流体が最初に第三ノズル２５２Ｃより導かれる前に、流体エミッタ２４８が望ましくは後端部２０８の露出部分２１０のより近くに移動されるが、流体エミッタ２４８は、本発明の範囲を逸脱することなく、曲げ工程中いつでも移動可能であることを注記する。加えて、流体エミッタ２４８が露出部分２１０とかみ合うまで、流体エミッタ２４８は後端部２０８の露出部分２１０方向に移動可能であり、マンドレル２１６に対して露出部分２１０を塑性変形させる。
【００２８】
図１０および図１１はＦＯＳデバイスの後端部２０８の拡大図である。図１０および図１１は、曲げる前（図１０）と曲げた後（図１１）の後端部２０８を示したものである。後端部２０８は好ましくは薄くなった部分２７０を有するように設計され、かつ好ましくは、一貫した曲げ角度を促すために、薄くなった部分２７０に沿って曲げられる。後端部２０８の薄くなった部分２７０は、追加的に、もしくは代替的に、薄くなった部分２７０のエッジに窪んだ部分２７４ａ、２７４ｂを有し、かつ、または、薄くなった部分２７０に沿って開口部２７８ａ、２７８ｂを有し、容易に後端部２０８の一貫した曲げを可能にする。
【００２９】
ＦＯＳデバイス２０４の後端部を折り曲げる本記載の方法および装置２００は、手作業で折り曲げるよりもかなり効率的である。加えて、本方法および装置２００は、折り畳み工程中におけるあらゆる移動ツールと後端部２０８間の接触をなくすか、あるいはこれを減らす。後端部２０８と流体エミッタ２０８間の接触がないことにより、本方法および装置は、ディスクドライブにて使用する、損傷のない、信頼性の高いＦＯＳデバイス２０４を作り出しやすくする。
【００３０】
図１２はコンピュータシステムの略図である。都合良く本発明はコンピュータシステム２０００においての使用に好適合する。コンピュータシステム２０００は電子システムまたは情報処理システムとも称され、中央処理装置、メモリ、およびシステムバスを備えている。情報処理システム２０００は、中央処理装置２００４、ランダムアクセスメモリ２０３２、および中央処理装置２００４とランダムアクセスメモリ２０３２とを通信可能に連結するシステムバス２０３０とを備えている。また、情報処理システム２０００は上述の折り曲げられた後端部を含んだディスクドライブ装置を装備する。さらに情報処理システム２０００は入出力バス２０１０もまた備えており、２０１２、２０１４、２０１６、２０１８、２０２０、および２０２２のようないくつかの周辺装置が入出力バス２０１０に接続されている。周辺装置には、ハードディスクドライブ、光磁気ドライブ、フロッピー（登録商標）ディスクドライブ、モニター、キーボード、また他のそうした周辺機器が含まれる。
【００３１】
以上ディスクドライブにおけるＦＯＳデバイスあるいはＴＳＡデバイスの後端部２０８といったような薄いパーツを折り曲げる方法を開示した。該方法は薄いパーツ２０８の部分２０９を固定するステップと、薄いパーツに流体を導いて、薄いパーツ２０８の固定された部分２０９に対して薄いパーツ２０８の固定されていない部分２１０を曲げるステップを有する。薄いパーツ２０８の部分２０９を固定するステップでは、固定具２００内に部分２０９を固定する。流体を導くステップは、ノズル２５２Ａ、２５２Ｂ、２５２Ｃのうちの１つ以上のノズルから薄いパーツ２０８に向かって流体を射出し、それにより流体が薄いパーツ２０８を曲げるステップも含む。流体が第二ノズル２５２Ｂから初めに導かれる前の一定時間、流体は第一ノズル２５２Ａから初めに導き、そして、流体が初めに第二ノズル２５２Ｂから導かれた後のわずかの時間に、流体は第三ノズル２５２Ｃから初めに導かれるようにしても良い。さらには、流体が第三ノズル２５２Ｃから初めに導かれる前には、流体はもはや第一ノズル２５２Ａからは導かれない。流体がノズル２５２Ａ、２５２Ｂ、２５２Ｃのうちのいずれかのノズルから最初に導かれる前に、流体エミッタ２４８、およびノズル２５２Ａ、２５２Ｂ、２５２Ｃのうちの１つ以上のノズルもまた薄いパーツ２０８に対して移動可能である。
【００３２】
本発明はまた、ディスクドライブ１００におけるＦＯＳデバイスおよびＴＡＳデバイスの後端部といったような薄いパーツ２０８を折り曲げる装置に関する。装置２００は、薄いパーツ２０８を固定するための固定具と、流体が固定具に対して薄いパーツ２０８を曲げるよう流体を薄いパーツ２０８に導くための、固定具の近くに配置された流体エミッタ２４８とを備えている。流体エミッタ２４８は固定具と一体化されることが可能であり、１つ以上のノズル２５２Ａ、２５２Ｂ、２５２Ｃを備え、固定具内に固定される薄いパーツ２０８に流体を導く。ノズル２５２Ａ、２５２Ｂ、２５２Ｃの各々は薄いパーツ２０８に対して異なる角度から流体を薄いパーツ２０８へと導く。さらに、固定具は薄いパーツ２０８の近くに配置されるマンドレル２１６を備えており、それにより、流体エミッタ２４８によって排出される流体がマンドレル２１６に対して薄いパーツ２０８を曲げる。
【００３３】
本発明は一般にディスクドライブ１００における薄いパーツ２０８を折り曲げるための装置２００に関する。該装置は、薄いパーツを固定する固定具と、流体が固定具に対して薄いパーツを曲げるよう流体を薄いパーツに導く手段とを備えている。
【００３４】
上記の詳細説明は例示目的においてのみなされたものであり、本発明を制限する意図ではないことを理解されたい。上記の詳細説明の再考により他の多くの実施形態が可能であることは従来技術において明らかである。本発明の範囲は、本記載の請求項において権利が与えられるその均等な全範囲において、本請求項に関連して判断されるべきである。
【図面の簡単な説明】
【図１】
多重ディスクスタックを有するディスクドライブの分解図である。
【図２】
ディスクドライブにおいて使用される薄いパーツを折り曲げる装置を示し、ＦＯＳデバイスの後端部がこの装置内に配置されている状態を示す斜視図である。
【図３】
図２に示した装置およびＦＯＳデバイスの分解斜視図である。
【図４】
図２および図３に示した装置の部分の拡大斜視図である。
【図５】
本発明の方法の一部分を示した、図４に示した装置の部分の側面図である。
【図６】
本発明の方法の他の部分を示した、図５に類似の側面図である。
【図７】
本発明の方法の他の部分を示した、図５−６に類似の側面図である。
【図８】
本発明の方法のさらに他の部分を示した、図５−７に類似の側面図である。
【図９】
本発明の方法のまたさらに他の部分を示した、図５−８に類似の側面図である。
【図１０】
ＦＯＳデバイスの後端部を示した拡大斜視図である。
【図１１】
本発明の装置および方法を用いて折り曲げられた図１０の後端部を示した、図１０に類似する図である。
【図１２】
コンピュータシステムの略図である。
【国際公開パンフレット】
2004516605.tif 000003
2004516605.tif 000004
2004516605.tif 000005
2004516605.tif 000006
2004516605.tif 000007
2004516605.tif 000008
2004516605.tif 000009
2004516605.tif 000010
2004516605.tif 000011
2004516605.tif 000012
2004516605.tif 000013
2004516605.tif 000014
2004516605.tif 000015
2004516605.tif 000016
2004516605.tif 000017
2004516605.tif 000018
2004516605.tif 000019
2004516605.tif 000020
2004516605.tif 000021
2004516605.tif 000022
2004516605.tif 000023
2004516605.tif 000024
2004516605.tif 000025
【国際公開パンフレット（コレクトバージョン）】
2004516605.tif 000026
2004516605.tif 000027
【国際調査報告】
2004516605.tif 000028